(57)【特許請求の範囲】
【請求項１】
垂直材の上端部に突設した枢着用耳片に水平材の基端部を枢着すると共に、垂直材の下端部に突設されて前記上端部の前記枢着用耳片よりも突出量の大なる枢着用耳片と水平材の先端部とに伸縮可能な斜材の両端部を夫々枢着し、この斜材には当該斜材のスライド可能に嵌合した第１部材と第２部材とを互いに固定する固定用ねじ具を取り付ける一方、垂直材の背面側上下両端部には枠組足場又は建物躯体に固定可能なクランプを取り付け、斜材がそれ以上収縮しない状態で、この斜材と垂直材とによって水平材を水平位置に保持し、斜材をその収縮状態から伸長させることによって、この斜材を水平材と共に垂直材と平行に折り畳み可能としてなる作業床用ブラケット。
【請求項２】
水平材の先端部にはパイプ用クランプを取り付けてなる請求項１に記載の作業床用ブラケット。
【発明の詳細な説明】
【０００１】
【発明の属する技術分野】
本発明は、枠組足場又は建物躯体の外側に長尺足場板や鋼製布枠（床板）等からなる作業床を設ける場合に使用される作業床用ブラケットに関する。
【０００２】
【従来の技術】
この種の作業床用ブラケットは、垂直材と水平材と斜材とにより略三角形に形成されたもので、垂直材の背面側上下部に夫々クランプが取り付けられていて、このクランプによって建物躯体の柱材、例えばＨ形鋼の側端部に取り付けられるようになっている。しかして、このようなブラケットを例えば建物躯体の前面に沿って所要のピッチで複数個取り付け、これらブラケットの水平材上に長尺足場板や鋼製布枠を載置することによって、作業床を形成している。
【０００３】
【発明が解決しようとする課題】
従来の作業床用ブラケットは、垂直材と水平材と斜材との３つの部材が剛に接合されたラーメン構造となっていて、建物躯体や枠組足場に一旦取り付けると、折り畳みできないことから、作業床を使用しない時には、そのブラケットが通行等の邪魔になると云う問題があった。
【０００４】
本発明は、上記の課題に鑑み、ブラケットを使用しない時には、建物躯体等に取り付けたまま、邪魔にならない位置に折り畳むことができるようにした作業床用ブラケットを提供することを目的とする。
【０００５】
【課題を解決するための手段】
請求項１に係る発明の作業床用ブラケットは、垂直材３の上端部に突設した枢着用耳片３ａに水平材４の基端部を枢着すると共に、垂直材３の下端部に突設されて前記上端部の前記枢着用耳片３ａよりも突出量の大なる枢着用耳片３ｂと水平材４の先端部とに伸縮可能な斜材５の両端部を夫々枢着し、この斜材５には当該斜材５のスライド可能に嵌合した第１部材１１と第２部材１２とを互いに固定する固定用ねじ具１３を取り付ける一方、垂直材３の背面側上下両端部には枠組足場又は建物躯体２に固定可能なクランプ６を取り付け、斜材５がそれ以上収縮しない状態で、この斜材５と垂直材３とによって水平材４を水平位置に保持し、斜材５をその収縮状態から伸長させることによって、この斜材５を水平材３と共に垂直材４と平行に折り畳み可能としてなることを特徴とする。
【０００６】
請求項２は、請求項１に記載の作業床用ブラケットにおいて、水平材４の先端部にはパイプ用クランプ７を取り付けてなることを特徴とする。
【０００７】
【発明の実施の形態】
図１は本発明に係る作業床用ブラケット１を建物躯体の柱材であるＨ形鋼２に取り付けた状態を示す斜視図、図２は側面図、図３は平面図、図４の▲１▼〜▲３▼は同作業床用ブラケット１が折り畳まれる状態を説明する説明図である。これらの図から分かるように、作業床用ブラケット１は、垂直材３と水平材４と伸縮可能な斜材５とからなるもので、垂直材３の上端部に水平材４の基端部が枢軸Ｐ１により枢着されると共に、垂直材３の下端部と水平材４の先端部とに前記伸縮可能な斜材５の両端部が枢軸Ｐ２，Ｐ３により夫々枢着されていて、斜材５がそれ以上収縮しない状態で、この斜材５と垂直材３とによって水平材４を水平位置に保持し、斜材５をその収縮状態から伸長させることによって、この斜材５を水平材４と共に垂直材３と平行に折り畳むことができるようになっている。
【０００８】
そして、垂直材３にはその背面側の上下両端部に、柱材であるＨ形鋼２のフランジ部２ａに固定可能な鉄骨用クランプ６，６が取り付けられ、また水平材４の先端部には足場用単管１５に固定可能なパイプ用クランプ７が取り付けられている。
【０００９】
図１から分かるように、垂直材３は、例えば軽量溝形材によって形成され、上下両端部には夫々一対の枢着用耳片３ａ，３ａ、３ｂ，３ｂが突設されている。このうち、垂直材３の下端部に突設される枢着用耳片３ｂ，３ｂは、垂直材３の上端部の枢着用耳片３ａ，３ａよりも、その突出量が大に形成されている。水平材４は、例えば丸鋼管によって形成されるもので、その基端部が垂直材３の上端側耳片３ａ，３ａ間に嵌合されて、両耳片３ａ，３ａに枢軸Ｐ１により枢着されている。また、水平材４の基端部及び先端部には足場板幅規制ガイド片８，９が取り付けられている。
【００１０】
また、斜材５は、水平材４の先端部側に枢着される第１部材１１と、垂直材３の下端部側に枢着され、第１部材１１内にスライド可能に嵌合される第２部材１２とからなる。第１部材１１は丸鋼管によって形成され、第２部材１２は第１部材１１よりも径小でそれにスライド式に嵌合可能な丸鋼管によって形成される。第２部材１２の枢着端部側には第１部材１１と同径の丸鋼管で形成された基端部材１０が一体的に連結されていて、図１及び図２に示すように斜材５が最収縮した状態で第１部材１１と基端部材１０の対向端面どうしが当接して、水平材４を水平位置に保持するようになっている。
【００１１】
斜材５の第１部材１１には基端部材１０との当接側端部に、この斜材５が最収縮した状態で第１部材１１と第２部材１２とを互いに固定して水平材４を水平位置に固定するための固定用ねじ具１３が取り付けられている。また、水平材４の先端部側下面には下向きコ字状の取付片１４が固着されており、この取付片１４に第１部材１１の先端部が嵌合されて、枢軸Ｐ３により枢支連結されている。
【００１２】
垂直材３に取り付けられる鉄骨用クランプ６は、図３から分かるように、コ字状本体６ａと、これに螺装されて先端に皿ばねを挿着したクランプボルト６ｂとからなる周知構造のもので、垂直材３の背面側に水平軸ｍを中心に回動可能に取り付けられる。水平材４に取り付けられるパイプ用クランプ７も周知構造のもので、クランプ本体７ａと、これに枢着された抱着体７ｃと、クランプ本体７ａと抱着体７ｃとの間で単管１５を抱持してクランプするクランプボルト７ｂとからなり、水平材４の先端部に水平軸ｎを中心に回動可能に取り付けられる。
【００１３】
上記のような構成よりなる作業床用ブラケット１の取付にあたっては、図１〜図３に示すように、垂直材３側の鉄骨用クランプ６をＨ形鋼２のフランジ部２ａに固定し、水平材４先端側のパイプ用クランプ７を足場用単管１５に固定すればよい。図１〜図３は、斜材５がそれ以上収縮しない状態、即ち最収縮した状態で斜材５と垂直材３とにより水平材４が水平位置に保持された状態を示している。このとき、第１部材１１の端面が基端部材１０の端面に当接しており、この状態で固定用ねじ具１３を締め付けることによって、水平材４の水平姿勢が確固不動に保持される。
【００１４】
図４の▲１▼〜▲３▼は、この作業床用ブラケット１を使用しない時に、建物躯体の支柱であるＨ形鋼２に取り付けたままで邪魔にならない位置に折り畳む状態を説明するもので、先ず、図１〜図３に示される状態から、パイプ用クランプ７をクランプ解除して足場用の単管１５を撤去し、そして固定用ねじ具１３を緩めた後、水平材４の先端部を持ち上げる。
【００１５】
上記のように水平材４の先端部を持ち上げると、図４の▲１▼及び▲２▼に示すように水平材４が枢軸Ｐ１を中心に上向きに回動し、これに伴い斜材５の第１部材１１が第２部材１２に対しスライドしながら伸長する。そして、水平材４が垂直材３と平行になるまで回動して垂直姿勢になると、斜材５の第１部材１１も水平材４と平行になり、斯くして斜材５及び水平材４は、同図の▲３▼に示すように垂直材３と平行な垂直姿勢に折り畳まれる。この状態で、固定用ねじ具１３を締め付けることにより、斜材５及び水平材４は、折り畳み姿勢に保持されて、倒れることがない。
【００１６】
図５及び図６は、建物躯体の支柱である複数のＨ形鋼２に夫々所定高さ位置で作業床用ブラケット１を取り付け、これらブラケット１の水平材４上に、長尺足場板１６を夫々２枚ずつ載設して、作業床を形成した状態を示したものであり、この作業床を使用して、各種作業を行うことになる。この際、図示は省略するが、各足場用単管１５には手摺りを取り付けたり、また昇降用梯子を設けることができる。
【００１７】
各作業床用ブラケット１上の水平材４上では、その基端部と先端部とに取り付けてある足場板幅規制ガイド片８，９によって幅方向の移動が規制されるから、足場板１６が振動等によって脱落するようなことがない。また、各足場用単管１５の下端部には高さ調整用のベースジャッキ１７が取り付けてある。しかして、作業床を使用しない時は、足場用単管１５を取り外して撤去した後、各作業床用ブラケット１を図４により説明したようにして折り畳んでおけば、各作業床用ブラケット１が通行等の邪魔になることがない。
【００１８】
以上説明した実施形態では、作業床用ブラケット１の垂直材３側に鉄骨用クランプ６を取り付けているが、この垂直材３側には、鉄骨用クランプ６に限らず、パイプ用クランプ７又はその他適当なクランプを取り付けてもよい。
【００１９】
【発明の効果】
請求項１に係る発明の作業床用ブラケットは、垂直材の上端部に突設した枢着用耳片に水平材の基端部を枢着すると共に、垂直材の下端部に突設されて前記枢着用耳片よりも突出量の大なる枢着用耳片と水平材の先端部とに伸縮可能な斜材の両端部を夫々枢着し、この斜材には当該斜材のスライド可能に嵌合した第１部材と第２部材とを互いに固定する固定用ねじ具を取り付ける一方、垂直材の背面側上下両端部には枠組足場又は建物躯体に固定可能なクランプを取り付けてなるもので、斜材がそれ以上収縮しない状態で斜材と垂直材とによって水平材を水平位置に保持し、斜材をその収縮状態から伸長させることにより、斜材を水平材と共に垂直材と平行に折り畳み可能としたから、作業床を使用しない時は、各作業床用ブラケットを、斜材が水平材と共に垂直材と平行になるように折り畳んでおくことによって、作業床用ブラケットが通行等の邪魔になるおそれがなく、また水平材が水平姿勢及び折り畳み姿勢で固定され、安全性が確保される。
【００２０】
請求項２に記載のように、水平材の先端部にパイプ用クランプを取り付けた場合には、このパイプ用クランプにより作業床用ブラケットの先端部側を足場用単管に簡単に取り付けて支持させることができるから、作業床用ブラケットをより安定状態に取り付けることができる。
【図面の簡単な説明】
【図１】本発明に係る作業床用ブラケットを建物躯体の柱材であるＨ形鋼に取り付けた状態を示す斜視図である。
【図２】同作業床用ブラケットの取付状態を示す側面図である。
【図３】同作業床用ブラケットの取付状態を示す平面図である。
【図４】▲１▼〜▲３▼は同作業床用ブラケットが折り畳まれる状態を説明する説明図である。
【図５】Ｈ形鋼に夫々所定高さ位置で作業床用ブラケットを取り付け、これらブラケットの水平材上に足場板を載設して作業床を形成した状態を示す側面図である。
【図６】同上の平面図である。
【符号の説明】
１              作業床用ブラケット
２              Ｈ形鋼（建物躯体）
３              垂直材
３ａ，３ｂ      枢着用耳片
４              水平材
５              斜材
６，７          クランプ
１１            第１部材
１２            第２部材
１３            固定用ねじ具
【図１】
0003579295.tif 000002
【図２】
0003579295.tif 000003
【図３】
0003579295.tif 000004
【図４】
0003579295.tif 000005
【図５】
0003579295.tif 000006
【図６】
0003579295.tif 000007